【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
一の発明に関する情報であり、発明を特定する１以上の発明特定情報を有する情報である単独発明情報を２以上有する情報であって、発明の構成を識別すると共に発明特定情報に含まれる情報である識別情報を含んでいる情報である発明情報が記憶される発明情報記憶部と、
発明特定情報で用いられる語句を示す情報である語句情報と、当該語句情報で示される語句に関する説明を示す情報であり、識別情報を実現する手段に関する情報を含む情報である語句説明情報とを対応付ける情報である説明情報が記憶される説明情報記憶部と、
前記発明情報記憶部が記憶している発明情報において、手がかり句を用いて当該手がかり句の直前の識別情報を特定し、当該特定した識別情報に語句情報の示す語句が含まれるかどうか判断し、含まれる場合には、当該語句情報に対応する語句説明情報を、特許出願の文書に関する情報であり、発明情報に関する１以上の実施の形態を含む情報である出願文書情報に追記することによって、当該出願文書情報を作成する作成部と、
前記作成部が作成した出願文書情報を出力する出力部と、を備え、
前記発明情報において、２以上の単独発明情報が１以上のグループにグループ化されており、
前記作成部は、前記発明情報において一のグループに含まれる単独発明情報に対応する語句説明情報が同一の実施の形態に含まれるように出願文書情報を作成する、出願文書情報作成装置。
【請求項２】
前記発明情報における単独発明情報のグループ化は、発明単独情報ごとに設定されたグループを識別する識別子によって行われる、請求項１記載の出願文書情報作成装置。
【請求項３】
前記発明情報における単独発明情報のグループ化は、単独発明情報における一のグループと他のグループとの間に設定された区切りを示す情報の設定によって行われる、請求項１記載の出願文書情報作成装置。
【請求項４】
一の発明に関する情報であり、発明を特定する１以上の発明特定情報を有する情報である単独発明情報を２以上有する情報であって、発明の構成を識別すると共に発明特定情報に含まれる情報である識別情報を含んでいる情報である発明情報が記憶される発明情報記憶部と、発明特定情報で用いられる語句を示す情報である語句情報と、当該語句情報で示される語句に関する説明を示す情報であり、識別情報を実現する手段に関する情報を含む情報である語句説明情報とを対応付ける情報である説明情報が記憶される説明情報記憶部と、作成部と、出力部とを用いて処理される出願文書情報作成方法であって、
前記作成部が、前記発明情報記憶部が記憶している発明情報において、手がかり句を用いて当該手がかり句の直前の識別情報を特定し、当該特定した識別情報に語句情報の示す語句が含まれるかどうか判断し、含まれる場合には、当該語句情報に対応する語句説明情報を、特許出願の文書に関する情報であり、発明情報に関する１以上の実施の形態を含む情報である出願文書情報に追記することによって、当該出願文書情報を作成する作成ステップと、
前記出力部が、前記作成ステップで作成した出願文書情報を出力する出力ステップと、を備え、
前記発明情報において、２以上の単独発明情報が１以上のグループにグループ化されており、
前記作成ステップでは、前記発明情報において一のグループに含まれる単独発明情報に対応する語句説明情報が同一の実施の形態に含まれるように出願文書情報を作成する、出願文書情報作成方法。
【請求項５】
一の発明に関する情報であり、発明を特定する１以上の発明特定情報を有する情報である単独発明情報を２以上有する情報であって、発明の構成を識別すると共に発明特定情報に含まれる情報である識別情報を含んでいる情報である発明情報が記憶される発明情報記憶部と、発明特定情報で用いられる語句を示す情報である語句情報と、当該語句情報で示される語句に関する説明を示す情報であり、識別情報を実現する手段に関する情報を含む情報である語句説明情報とを対応付ける情報である説明情報が記憶される説明情報記憶部とにアクセス可能なコンピュータを、
前記発明情報記憶部が記憶している発明情報において、手がかり句を用いて当該手がかり句の直前の識別情報を特定し、当該特定した識別情報に語句情報の示す語句が含まれるかどうか判断し、含まれる場合には、当該語句情報に対応する語句説明情報を、特許出願の文書に関する情報であり、発明情報に関する１以上の実施の形態を含む情報である出願文書情報に追記することによって、当該出願文書情報を作成する作成部、
前記作成部が作成した出願文書情報を出力する出力部として機能させ、
前記発明情報において、２以上の単独発明情報が１以上のグループにグループ化されており、
前記作成部は、前記発明情報において一のグループに含まれる単独発明情報に対応する語句説明情報が同一の実施の形態に含まれるように出願文書情報を作成する、プログラム。
【請求項６】
一の発明に関する情報であり、発明を特定する１以上の発明特定情報を有する情報である単独発明情報を１以上有する情報であって、発明の構成を識別すると共に発明特定情報に含まれる情報である識別情報を含んでいる情報である発明情報が記憶される発明情報記憶部と、
前記発明情報記憶部が記憶している発明情報において、単独発明情報の最後に存在する発明の名称を特定し、第１の手がかり句を用いて当該第１の手がかり句の直前の識別情報を特定し、当該発明情報において、第２の手がかり句の後に前記発明の名称が存在し、当該第２の手がかり句の前に、「（識別情報）と、」のように識別情報が存在する場合には、当該第２の手がかり句の後に存在する発明の名称を親とし、当該第２の手がかり句の前に存在する識別情報を子とする親子関係を特定し、当該親子関係を示す文書を生成して、特許出願の文書に関する情報であり、発明情報に関する１以上の実施の形態を含む情報である出願文書情報に追記することによって、当該出願文書情報を作成する作成部と、
前記作成部が作成した出願文書情報を出力する出力部と、を備えた出願文書情報作成装置。
【請求項７】
前記作成部は、前記発明情報において、「は、」の直前に発明の名称が存在し、当該「は、」と、当該「は、」の後に存在する第２の手がかり句との間に「（識別情報）と、」のように識別情報が存在する場合には、当該「は、」の直前に存在する発明の名称を親とし、当該「は、」と、当該第２の手がかり句との間に存在する識別情報を子とする親子関係を特定する、請求項６記載の出願文書情報作成装置。
【請求項８】
一の発明に関する情報であり、発明を特定する１以上の発明特定情報を有する情報である単独発明情報を１以上有する情報であって、発明の構成を識別すると共に発明特定情報に含まれる情報である識別情報を含んでいる情報である発明情報が記憶される発明情報記憶部と、作成部と、出力部とを用いて処理される出願文書情報作成方法であって、
前記作成部が、前記発明情報記憶部が記憶している発明情報において、単独発明情報の最後に存在する発明の名称を特定し、第１の手がかり句を用いて当該第１の手がかり句の直前の識別情報を特定し、当該発明情報において、第２の手がかり句の後に前記発明の名称が存在し、当該第２の手がかり句の前に、「（識別情報）と、」のように識別情報が存在する場合には、当該第２の手がかり句の後に存在する発明の名称を親とし、当該第２の手がかり句の前に存在する識別情報を子とする親子関係を特定し、当該親子関係を示す文書を生成して、特許出願の文書に関する情報であり、発明情報に関する１以上の実施の形態を含む情報である出願文書情報に追記することによって、当該出願文書情報を作成する作成ステップと、
前記出力部が、前記作成ステップで作成した出願文書情報を出力する出力ステップと、を備えた出願文書情報作成方法。
【請求項９】
一の発明に関する情報であり、発明を特定する１以上の発明特定情報を有する情報である単独発明情報を１以上有する情報であって、発明の構成を識別すると共に発明特定情報に含まれる情報である識別情報を含んでいる情報である発明情報が記憶される発明情報記憶部にアクセス可能なコンピュータを、
前記発明情報記憶部が記憶している発明情報において、単独発明情報の最後に存在する発明の名称を特定し、第１の手がかり句を用いて当該第１の手がかり句の直前の識別情報を特定し、当該発明情報において、前記第２の手がかり句の後に前記発明の名称が存在し、当該第２の手がかり句の前に、「（識別情報）と、」のように識別情報が存在する場合には、当該第２の手がかり句の後に存在する発明の名称を親とし、当該第２の手がかり句の前に存在する識別情報を子とする親子関係を特定し、当該親子関係を示す文書を生成して、特許出願の文書に関する情報であり、発明情報に関する１以上の実施の形態を含む情報である出願文書情報に追記することによって、当該出願文書情報を作成する作成部、
前記作成部が作成した出願文書情報を出力する出力部として機能させるためのプログラム。
【手続補正２】
【補正対象書類名】明細書
【補正対象項目名】発明の名称
【補正方法】変更
【補正の内容】
【発明の名称】出願文書情報作成装置、出願文書情報作成方法、及びプログラム